(57)【特許請求の範囲】
【請求項１】
基材と、前記基材の一方の面に設けられた第１パターンと、前記基材の他方の面に設けられた第２パターンとを有する偽造防止媒体であって、
前記基材の一方の面を手前にして前記偽造防止媒体を光に透かして観察した状態にて、前記第１パターンと前記第２パターンとにより錯視を発現する偽造防止パターンが形成されるものであり、
前記第２パターンが、前記基材の一方の面を手前にして前記偽造防止媒体を光に透かしたときの濃度の低下分が計算されて設けられていることを特徴とする偽造防止媒体。
【請求項２】
前記偽造防止パターンが、高濃度領域と、中濃度領域と、低濃度領域とを有することを特徴とする請求項１に記載の偽造防止媒体。
【請求項３】
前記高濃度領域が前記第１パターンで構成され、前記中濃度領域が前記第２パターンで構成され、前記低濃度領域が前記基材の両面に前記第１パターンおよび前記第２パターンがいずれも設けられていない部分で構成されていることを特徴とする請求項２に記載の偽造防止媒体。
【請求項４】
基材と、前記基材の一方の面に設けられた第１パターンと、前記基材の他方の面に設けられた第２パターンとを有する偽造防止媒体の製造方法であって、
前記偽造防止媒体は、前記基材の一方の面を手前にして前記偽造防止媒体を光に透かして観察した状態にて、前記第１パターンと前記第２パターンとにより錯視を発現する偽造防止パターンが形成されるものであり、
前記基材の一方の面に第１パターンを形成する第１パターン形成工程と、
前記基材の他方の面に、前記第２パターンを、前記基材の一方の面を手前にして前記偽造防止媒体を光に透かしたときの濃度の低下分を計算して形成する第２パターン形成工程と
を有することを特徴とする偽造防止媒体の製造方法。
【発明の詳細な説明】
【技術分野】
【０００１】
本発明は、紙幣、有価証券、証明書等の偽造防止技術に関するものである。
【背景技術】
【０００２】
各国紙幣等の一部には光に透かして見ると、表の模様と裏の模様が重なって、完成された模様となって見えるものがある。これは一つの図柄を２分割して、一方を基材の表面に、他方を基材の裏面に印刷したもので、単純なパターンが多い。したがって、通常の複写機を用いても容易に再現でき、偽造防止効果が低かった。
【０００３】
なお、印刷方式または印刷加工方式による偽造防止技術については、例えば特許文献１〜４に開示されている。
【先行技術文献】
【特許文献】
【０００４】
【特許文献１】特開２０００−２７２２１９号公報
【特許文献２】特開２００１−３９００４号公報
【特許文献３】特開２００７−２５３６００号公報
【特許文献４】特開２００８−１２７２２号公報
【発明の概要】
【発明が解決しようとする課題】
【０００５】
本発明は上記実情に鑑みてなされたものであり、基材の両面にパターンを形成したものを光で透かして見たときに両面のパターンが合成されて出現する画像を確認することで真偽の判定ができる、偽造が困難な偽造防止媒体およびその製造方法を提供することを目的とする。
【課題を解決するための手段】
【０００６】
上記課題を解決するために、本発明は、基材と、上記基材の一方の面に設けられた第１パターンと、上記基材の他方の面に設けられた第２パターンとを有する偽造防止媒体であって、上記基材の一方の面を手前にして上記偽造防止媒体を光に透かして観察した状態にて、上記第１パターンと上記第２パターンとにより錯視を発現する偽造防止パターンが形成されるものであり、上記第２パターンが、上記基材の一方の面を手前にして上記偽造防止媒体を光に透かしたときの濃度の低下分が計算されて設けられていることを特徴とする偽造防止媒体を提供する。
【０００７】
本発明においては、第２パターンが、基材の一方の面を手前にして偽造防止媒体を光に透かしたときの濃度の低下分が計算されて設けられており、基材の一方の面を手前にして偽造防止媒体を光に透かして観察すると、第２パターンは濃度が低下した状態で視認されるので、第１パターンおよび第２パターンで形成される偽造防止パターンでは、濃淡により錯視が発現する。通常の複写機では、第１パターンおよび第２パターンの高精度な位置合わせが困難である上に、基材の一方の面を手前にして偽造防止媒体を光に透かしたときの濃度の低下分を考慮して第２パターンを複写することも困難である。したがって本発明においては、高い偽造防止効果を達成することができる。
【０００８】
上記発明においては、上記偽造防止パターンが、高濃度領域と、中濃度領域と、低濃度領域とを有することが好ましい。この場合、上記高濃度領域が上記第１パターンで構成され、上記中濃度領域が上記第２パターンで構成され、上記低濃度領域が上記基材の両面に上記第１パターンおよび上記第２パターンがいずれも設けられていない部分で構成されていることが好ましい。基材の一方の面を手前にして偽造防止媒体を光に透かしたとき、第２パターンは濃度が低下した状態で視認されるため、基材の両面に第１パターンおよび第２パターンがいずれも設けられていない部分で構成される低濃度領域と、第１パターンで構成される高濃度領域とに対して、中間の濃度となる中濃度領域を第２パターンで構成することができるからである。
【０００９】
さらに本発明は、基材と、上記基材の一方の面に設けられた第１パターンと、上記基材の他方の面に設けられた第２パターンとを有する偽造防止媒体の製造方法であって、上記偽造防止媒体は、上記基材の一方の面を手前にして上記偽造防止媒体を光に透かして観察した状態にて、上記第１パターンと上記第２パターンとにより錯視を発現する偽造防止パターンが形成されるものであり、上記基材の一方の面に第１パターンを形成する第１パターン形成工程と、上記基材の他方の面に、上記第２パターンを、上記基材の一方の面を手前にして上記偽造防止媒体を光に透かしたときの濃度の低下分を計算して形成する第２パターン形成工程とを有することを特徴とする偽造防止媒体の製造方法を提供する。
【００１０】
本発明においては、第２パターンを、基材の一方の面を手前にして偽造防止媒体を光に透かしたときの濃度の低下分を計算して形成することによって、上述したように優れた偽造防止効果を得ることができる。したがって、既存の材料および装置を用いて偽造防止媒体を作製することが可能である。
【発明の効果】
【００１１】
本発明においては、偽造防止媒体を光に透かして観察すると偽造防止パターンが出現し錯視が生じるので、偽造防止効果を向上させることが可能であるという効果を奏する。
【図面の簡単な説明】
【００１２】
【図１】本発明の偽造防止媒体の一例を示す概略平面図および断面図である。
【図２】本発明の偽造防止媒体を基材の一方の面を手前にして光に透かして観察した状態の一例を示す模式図である。
【図３】本発明の偽造防止媒体の他の例を示す概略平面図である。
【図４】本発明の偽造防止媒体を基材の一方の面を手前にして光に透かして観察した状態の他の例を示す模式図である。
【図５】本発明の偽造防止媒体の他の例を示す概略平面図である。
【図６】本発明の偽造防止媒体を基材の一方の面を手前にして光に透かして観察した状態の他の例を示す模式図である。
【図７】本発明の偽造防止媒体の他の例を示す概略平面図である。
【図８】本発明の偽造防止媒体を基材の一方の面を手前にして光に透かして観察した状態の他の例を示す模式図である。
【図９】本発明の偽造防止媒体の他の例を示す概略断面図である。
【図１０】本発明の偽造防止媒体の製造方法に用いられる錯視図形の一例を示す模式図である。
【図１１】本発明の偽造防止媒体の製造方法に用いられる錯視図形を分解したパターンの一例を示す模式図である。
【発明を実施するための形態】
【００１３】
以下、本発明の偽造防止媒体およびその製造方法について詳細に説明する。
【００１４】
Ａ．偽造防止媒体
本発明の偽造防止媒体は、基材と、上記基材の一方の面に設けられた第１パターンと、上記基材の他方の面に設けられた第２パターンとを有する偽造防止媒体であって、上記基材の一方の面を手前にして上記偽造防止媒体を光に透かして観察した状態にて、上記第１パターンと上記第２パターンとにより錯視を発現する偽造防止パターンが形成されるものであり、上記第２パターンが、上記基材の一方の面を手前にして上記偽造防止媒体を光に透かしたときの濃度の低下分が計算されて設けられていることを特徴とするものである。
【００１５】
本発明の偽造防止媒体について図面を参照しながら説明する。
図１（ａ）〜（ｃ）は本発明の偽造防止媒体の一例を示す概略平面図および断面図であり、図１（ａ）は偽造防止媒体を基材の一方の面から見た平面図、図１（ｂ）は偽造防止媒体を基材の他方の面から見た平面図、図１（ｃ）は図１（ａ）、（ｂ）のＡ−Ａ線断面図である。図１（ａ）〜（ｃ）に例示するように、偽造防止媒体１は、基材２と、基材２の一方の面に設けられた第１パターン３と、基材２の他方の面に設けられた第２パターン４とを有している。第１パターン３は、正方形が規則的に配列されたパターンであり、所定の色および濃度（例えば黒色）で印刷されている。第２パターン４は、第１パターン３の正方形と同じ大きさの正方形の開口部を有する格子のパターンで、さらに格子の交差部分に円形の開口部を有するパターンであり、所定の色および濃度（例えば黒色）で印刷されている。これらの第１パターン３および第２パターン４は、第１パターン３の正方形と、第２パターン４の格子の正方形の開口部とが合うように位置合わせされて印刷されている。
【００１６】
図２は、図１（ａ）〜（ｃ）に示す偽造防止媒体１を基材２の一方の面を手前にして光に透かして観察した状態を示す模式図である。偽造防止媒体１を基材２の一方の面を手前にして光に透かして観察すると、図２に例示するように、第１パターン３と第２パターン４とにより偽造防止パターン１０が形成される。第１パターン３は、所定の色および濃度（例えば黒色）で印刷されており、基材２の一方の面を手前にしているので、濃度が維持された状態（例えば黒色）で視認される。第２パターン４は、所定の色および濃度（例えば黒色）で印刷されており、基材２の一方の面を手前にしているので、濃度が低下した状態（例えば灰色）で視認される。基材２の両面に第１パターン３および第２パターン４のいずれも印刷されていない部分（円形の部分）は、光が透過するので、基材２の色、濃度、透過率等に応じた状態（例えば白色）で視認される。そのため、偽造防止パターン１０では、第１パターン３は高濃度領域１１を構成し、第２パターン４は中濃度領域１２を構成し、基材２の両面に第１パターン３および第２パターン４がいずれも印刷されていない部分は低濃度領域１３を構成することになる。
【００１７】
このように、偽造防止媒体を基材の一方の面を手前にして光に透かして観察した状態では、第２パターンは濃度が低下した状態で視認されるので、第２パターンは、基材の一方の面を手前にして偽造防止媒体を光に透かしたときの濃度の低下分が計算されて印刷されている。例えば図２において、偽造防止媒体１を基材２の一方の面を手前にして光に透かしたときに第２パターン４は濃度が低下した状態（例えば灰色）で視認されるので、図１（ｂ）に示すように、第２パターン４は、基材の一方の面を手前にして偽造防止媒体を光に透かしたときの濃度の低下分に基づいて、所定の濃度（例えば黒色）で印刷されている。
【００１８】
本発明において、偽造防止パターンは錯視を発現するものである。図２に示す偽造防止パターン１０では、格子の中濃度領域１２（灰色）の交差部分にある円形の低濃度領域１３（白色）の中に、黒っぽいものが現れたり、消えたりする。これは、実際にはないはずの黒い点がちらついて見えるものであり、きらめき格子錯視（Schrauf, Lingelbach and Wist, 1997）と呼ばれている。
【００１９】
なお、本発明において、「錯視」とは、濃淡により生じる錯視をいい、濃淡によって実際の図形とは異なる図形に見えることをいう。
【００２０】
図１（ａ）〜（ｃ）に示す偽造防止媒体１を基材２の一方の面から反射光によって見た場合には、偽造防止媒体を基材の一方の面から透過光によって見た場合と比較して、第２パターンはさらに濃度が低下して視認され難くなり、所定の濃淡が出ないために錯視は起こらず、偽造防止パターンは認識できない。また、図１（ａ）〜（ｃ）に示す偽造防止媒体１を基材２の他方の面から反射光によって見た場合には、第１パターンは濃度が低下して視認され難くなり、所定の濃淡が出ないために錯視は起こらず、偽造防止パターンは認識できない。これに対し、図１（ａ）〜（ｃ）に示す偽造防止媒体１を基材２の一方の面から透過光によって見た場合には、図２に例示するように、偽造防止パターン１０が出現し、濃淡によって錯視が生じる。
【００２１】
このように本発明においては、光に透かして見ると通常では認識できない偽造防止パターンが出現し、錯視が起こるので、偽造防止技術として有効である。通常の複写機では、第１パターンおよび第２パターンの高精度な位置合わせが困難である上に、基材の一方の面を手前にして偽造防止媒体を光に透かしたときの濃度の低下分を考慮して第２パターンを複写することも困難であるため、偽造防止パターンが出現し錯視が発現するように第１パターンおよび第２パターンを再現することは非常に難しい。したがって本発明においては、優れた偽造防止効果を得ることが可能である。
【００２２】
以下、本発明の偽造防止媒体における各構成について説明する。
【００２３】
１．偽造防止パターン、第１パターン、第２パターン
本発明における偽造防止パターンは、基材の一方の面を手前にして偽造防止媒体を光に透かして観察した状態にて、基材の一方の面に設けられた第１パターンと、基材の他方の面に設けられた第２パターンとにより形成されるものであり、錯視を発現するものである。
【００２４】
偽造防止パターンは、濃淡により錯視を発現するものであり、基材の一方の面を手前にして偽造防止媒体を光に透かして観察した状態にて、第１パターンと第２パターンとにより形成され得るものであれば特に限定されるものではない。濃淡により錯視を発現する錯視図形であればいずれも、偽造防止パターンとして用いることができる。
【００２５】
例えば、上述したように、図１（ａ）に示す基材２の一方の面に所定の色および濃度（例えば黒色）で印刷された第１パターン３と、図１（ｂ）に示す基材２の他方の面に所定の色および濃度（例えば黒色）で印刷された第２パターン４とにより、図２に示す偽造防止パターン１０が形成される。この偽造防止パターン１０では、上述したように、格子の中濃度領域１２（灰色）の交差部分にある円形の低濃度領域１３（白色）の中に、黒っぽいものが現れたり、消えたりする。これは、実際にはないはずの黒い点がちらついて見えるものであり、きらめき格子錯視（Schrauf, Lingelbach and Wist（1997））と呼ばれている。
【００２６】
図３（ａ）、（ｂ）は本発明の偽造防止媒体の他の例を示す概略平面図であり、図３（ａ）は偽造防止媒体を基材の一方の面から見た平面図、図３（ｂ）は偽造防止媒体を基材の他方の面から見た平面図である。図４は、図３（ａ）、（ｂ）に示す偽造防止媒体を基材の一方の面を手前にして光に透かして観察した状態を示す模式図である。
図３（ａ）に示す基材２の一方の面に所定の色および濃度（例えば黒色）で印刷された第１パターン３と、図３（ｂ）に示す基材２の他方の面に所定の色および濃度（例えば黒色）で印刷された第２パターン４とにより、図４に示す偽造防止パターン１０が形成される。第２パターン４は濃度が低下した状態で視認されるので、偽造防止パターン１０は、第１パターン３で構成される高濃度領域１１（例えば黒色）と、第２パターン４で構成される中濃度領域１２（例えば灰色）と、基材２の両面に第１パターン３および第２パターン４のいずれも印刷されていない部分で構成される低濃度領域１１（例えば白色）とを有している。この偽造防止パターン１０では、中濃度領域１２（灰色）の線が、左もしくは右に傾いて見える。これは、実際にはどれも水平で互いに平行な線が左もしくは右に傾いて見えるものであり、カフェウォール錯視（Fraser（1908）、Gregory and Heard（1979））と呼ばれている。
【００２７】
図５（ａ）、（ｂ）は本発明の偽造防止媒体の他の例を示す概略平面図であり、図５（ａ）は偽造防止媒体を基材の一方の面から見た平面図、図５（ｂ）は偽造防止媒体を基材の他方の面から見た平面図である。図６は、図５（ａ）、（ｂ）に示す偽造防止媒体を基材の一方の面を手前にして光に透かして観察した状態を示す模式図である。
図５（ａ）に示す基材２の一方の面に所定の色および濃度（例えば薄い灰色および濃い灰色）で印刷された第１パターン３と、図５（ｂ）に示す基材２の他方の面に所定の色および濃度（例えば黒色）で印刷された第２パターン４とにより、図６に示す偽造防止パターン１０が形成される。第１パターン３は、濃い灰色の正方形３ａと、薄い灰色の線３ｂとから構成されている。第２パターン４は濃度が低下した状態で視認されるので、第１パターン３の正方形３ａと第２パターン４とは同程度の濃度で視認される。そのため、偽造防止パターン１０は、第１パターン３の正方形３ａと第２パターン４とで構成される高濃度領域１１（例えば濃い灰色）と、第１パターン３の線３ｂで構成される中濃度領域１２（例えば薄い灰色）と、基材２の両面に第１パターン３および第２パターン４のいずれも印刷されていない部分で構成される低濃度領域１１（例えば白色）とを有している。この偽造防止パターン１０では、中濃度領域１２（薄い灰色）の線が、左もしくは右に傾いて見える。これも、実際にはどれも水平で互いに平行な線が左もしくは右に傾いて見えるものである。
【００２８】
図５（ａ）、（ｂ）および図６において、第１パターン３の正方形３ａと線３ｂとは濃度が異なっているが、濃度は同じであってもよい。すなわち、偽造防止パターンにおいて、第１パターンの正方形と第１パターンの線と第２パターンの正方形とはすべて同じ濃度（例えば黒色）で視認されてもよい。この場合にも、同様に、線（黒色）が左もしくは右に傾いて見える。
【００２９】
図７（ａ）、（ｂ）は本発明の偽造防止媒体の他の例を示す概略平面図であり、図７（ａ）は偽造防止媒体を基材の一方の面から見た平面図、図７（ｂ）は偽造防止媒体を基材の他方の面から見た平面図である。図８は、図７（ａ）、（ｂ）に示す偽造防止媒体を基材の一方の面を手前にして光に透かして観察した状態を示す模式図である。
図７（ａ）に示す基材２の一方の面に所定の色および濃度で印刷された第１パターン３と、図７（ｂ）に示す基材２の他方の面に所定の色および濃度で印刷された第２パターン４とにより、図８に示す偽造防止パターン１０が形成される。第１パターン３は濃度が連続的に変化する階調を有し、上３列の半円は紙面の左から右に向けて濃度が薄くなり、下３列の半円は紙面の左から右に向けて濃度が濃くなっている。また、第２パターン４も濃度が連続的に変化する階調を有し、上３列の半円は紙面の左から右に向けて濃度が薄くなり、下３列の半円は紙面の左から右に向けて濃度が濃くなっている。この場合、第２パターン４は濃度が低下した状態で視認されるので、第１パターン３と第２パターン４との境界部分で濃度が連続的に変化するように、第１パターン３および第２パターン４の階調が調整される。これにより、偽造防止パターン１０も濃度が連続的に変化する階調を有するものとなる。偽造防止パターン１０において、上３列の楕円は紙面の左から右に向けて濃度が薄くなり、下３列の楕円は紙面の左から右に向けて濃度が濃くなっている。この偽造防止パターン１０では、上３列は左に、下３列は右にゆっくりと動いて見える。これは、コントラストの低い領域からコントラストの高い領域の方向に動いて見える錯視であり、中心ドリフト錯視（北岡明佳（2003））と呼ばれている。
【００３０】
本発明において、偽造防止パターンは、高濃度領域と、中濃度領域と、低濃度領域とを有することが好ましい。基材の一方の面を手前にして偽造防止媒体を光に透かしたときに、第２パターンは濃度が低下した状態で視認されるため、基材の両面に第１パターンおよび第２パターンがいずれも設けられていない部分で構成される低濃度領域と、第１パターンで構成される高濃度領域とに対して、中間の濃度となる中濃度領域を第２パターンで構成することができるからである。また、錯視の発現にはコントラストが影響しており、高濃度領域および低濃度領域でコントラストの高い領域、中濃度領域および低濃度領域でコントラストの低い領域を形成することができる。
【００３１】
偽造防止パターンが、高濃度領域と中濃度領域と低濃度領域とを有する場合、通常、低濃度領域は基材の両面に第１パターンおよび第２パターンがいずれも設けられていない部分で構成される。高濃度領域は、例えば、図２および図４に示すように第１パターンで構成されていてもよく、図６に示すように第１パターンの一部および第２パターンで構成されていてもよく、図示しないが第２パターンで構成されていてもよい。また、中濃度領域は、例えば、図２および図４に示すように第２パターンで構成されていてもよく、図６に示すように第１パターンの一部で構成されていてもよく、図示しないが第１パターンで構成されていてもよい。
中でも、高濃度領域は第１パターンで構成され、中濃度領域は第２パターンで構成され、低濃度領域は基材の両面に第１パターンおよび第２パターンがいずれも設けられていない部分で構成されていることが好ましい。上述したように、基材の一方の面を手前にして偽造防止媒体を光に透かしたときに、第２パターンは濃度が低下した状態で視認されるため、基材の両面に第１パターンおよび第２パターンがいずれも設けられていない部分で構成される低濃度領域と、第１パターンで構成される高濃度領域とに対して、中間の濃度となる中濃度領域を第２パターンで構成することは容易だからである。
【００３２】
第１パターンおよび第２パターンの形状としては、目的とする偽造防止パターンの形状に応じて適宜選択されるものであり、第１パターンのみまたは第２パターンのみで、目的とする偽造防止パターンが発現する錯視を生じるものでなければ、特に限定されるものではない。通常、第１パターンおよび第２パターンの形状は、互いに重なる部分を有さず、隣接する部分を有するような形状とされる。例えば図１（ａ）、（ｂ）において、第１パターン３は正方形が規則的に配列したパターンであり、第２パターン４は第１パターン３の正方形と同じ大きさの正方形の開口部を有する格子のパターンで、さらに格子の交差部分に円形の開口部を有するパターンである。そして、図１（ａ）〜（ｃ）に例示するように、第１パターン３および第２パターン４は、第１パターン３の正方形と、第２パターン４の格子の正方形の開口部とが合うように位置合わせされて設けられている。第１パターン３および第１パターン４の形状は、第１パターン３と第２パターン４とが重ならず、第１パターン３の正方形と第２パターン４の格子とが隣接するような形状となっている。同様に、図３（ａ）、（ｂ）、図５（ａ）、（ｂ）、図７（ａ）、（ｂ）においても、第１パターン３および第２パターン４の形状は、第１パターン３と第２パターン４とが重ならず、第１パターン３と第２パターン４とが隣接するような形状となっている。このような位置合わせを必要とする印刷技術は、通常の複写機を用いても容易に再現できるものではなく、偽造防止効果が高い。
【００３３】
第１パターンおよび第２パターンの色としては、目的とする偽造防止パターンの色に応じて適宜選択されるものであり、特に限定されるものではない。
【００３４】
基材の一方の面に設けられる第１パターンの濃度は、目的とする偽造防止パターンの濃度に基づいて適宜調整される。
一方、第２パターンは、基材の一方の面を手前にして偽造防止媒体を光に透かしたときに、濃度が低下した状態で視認されることから、基材の他方の面に設けられる第２パターンの濃度は、目的とする偽造防止パターンの濃度と、基材の一方の面を手前にして偽造防止媒体を光に透かしたときの濃度の低下分とに基づいて、適宜調整される。すなわち、第２パターンは、基材の一方の面を手前にして偽造防止媒体を光に透かしたときの濃度の低下分が計算されて設けられている。濃度の低下分は、基材の透過率等に応じて異なるものとなる。
【００３５】
２．基材
本発明における基材は、一方の面に第１パターンが設けられ、他方の面に第２パターンが設けられるものである。
【００３６】
本発明においては、基材の一方の面を手前にして偽造防止媒体を光に透かして観察することから、基材は光を透過する必要がある。一方、基材の光透過率が高いと、偽造防止媒体を光に透かさなくとも偽造防止パターンが視認されて錯視が生じてしまうおそれがある。したがって、基材の印刷不透明度は、２５％〜９５％の範囲内であることが好ましい。
ここで、印刷不透明度とは、基材に印刷した画像がその反対面から透き通って見えない程度のことをいう。印刷不透明度は、基材の白紙不透明度（単に不透明度ともいう。）の他にインキの浸透性の影響を受ける。基材の不透明度が高くとも、インキの浸透性が良ければインキが浸透した分だけ、印刷不透明度は低下する。
また、白紙不透明度とは、一枚の基材を透き通して、下の基材の画像が見えない程度のことをいう。
なお、基材の印刷不透明度は、不透明度測定器、ハンター白色度計等により測定することができる。
【００３７】
また、基材は裏抜けしにくいものであることが好ましい。第２パターンが裏抜けすると、偽造防止媒体を光に透かさなくとも偽造防止パターンが視認されて錯視が生じてしまうおそれがあるからである。
ここで、裏抜けとは、インキが反対面に抜けることをいう。裏抜けは、基材の光学的特性ではなく、インキの浸透性に起因する。
なお、基材が裏抜けしにくいものであることは、例えば、基材の一方の面を手前にして反射光で見たときの第２パターンの濃度を測定することで、評価することができる。
【００３８】
基材としては、上述の特性を満たすものであれば特に限定されるものではなく、例えば、紙、樹脂基材などを用いることができる。また、基材は、透明な樹脂基材上に、上述の特性を満たす下地層が形成されたものであってもよい。下地層の材料としては、上述の特性を満たすものであれば特に限定されるものではないが、中でも、透明な樹脂基材と密着性を有する材料であることが好ましく、例えば、酸化チタンを含有する白色コート剤、顔料インキ、染料インキ、第１パターンおよび第２パターンの印刷に用いられるインキを吸収し得るコーティング材料、多孔質層形成用コーティング材料等が挙げられる。
【００３９】
基材を選択するに際しては、上述したように、偽造防止パターンが、高濃度領域と中濃度領域と低濃度領域とを有する場合、通常、低濃度領域は基材の両面に第１パターンおよび第２パターンがいずれも設けられていない部分で構成されることから、目的とする偽造防止パターンの低濃度領域に応じて、基材を選択することが好ましい。
【００４０】
３．保護層
本発明においては、図９に例示するように、基材２の一方の面に第１パターン３を覆うように、第１パターン３を保護する保護層５が形成されていてもよい。また、図９に例示するように基材２の他方の面に第２パターン４を覆うように、第２パターン４を保護する保護層６が形成されていてもよい。
保護層の材料としては、透明性を有し、第１パターンおよび第２パターンを保護することができるものであれば特に限定されるものではなく、一般的な樹脂材料を用いることができる。
【００４１】
４．用途
本発明の偽造防止媒体は、例えば、紙幣、商品券、株券、小切手、手形等の各種の有価証券、パスポート、カード等の各種の証明書、機密文書等に用いることができる。
【００４２】
Ｂ．偽造防止媒体の製造方法
本発明の偽造防止媒体の製造方法は、基材と、上記基材の一方の面に設けられた第１パターンと、上記基材の他方の面に設けられた第２パターンとを有する偽造防止媒体の製造方法であって、上記偽造防止媒体は、上記基材の一方の面を手前にして上記偽造防止媒体を光に透かして観察した状態にて、上記第１パターンと上記第２パターンとにより錯視を発現する偽造防止パターンが形成されるものであり、上記基材の一方の面に第１パターンを形成する第１パターン形成工程と、上記基材の他方の面に、上記第２パターンを、上記基材の一方の面を手前にして上記偽造防止媒体を光に透かしたときの濃度の低下分を計算して形成する第２パターン形成工程とを有することを特徴とするものである。
【００４３】
本発明の偽造防止媒体の製造方法について図面を参照しながら説明する。ここでは、基材の一方の面を手前にして偽造防止媒体を光に透かしたときに、偽造防止パターンとして図１０に例示する錯視図形２０が出現する場合を例として挙げる。
図１０に例示する錯視図形２０は、高濃度領域２１（例えば黒色）、中濃度領域２２（例えば灰色）および低濃度領域２３（例えば白色）の三つの領域を有している。まず、図１０に示す錯視図形２０を、図１１（ａ）、（ｂ）に示すように、高濃度領域２１からなる第１要素２０ａ（図１１（ａ））と、中濃度領域２２および低濃度領域２３からなる第２要素２０ｂ（図１１（ｂ））との二つに分解する。次いで、第１要素２０ａおよび第２要素２０ｂのいずれを基材の他方の面に印刷するかを決める。第２パターンは、基材の一方の面を手前にして偽造防止媒体を光に透かしたときに濃度が低下した状態で視認されるので、ここでは、中濃度領域２２および低濃度領域２３からなる第２要素２０ｂを基材の他方の面に印刷し、高濃度領域２１からなる第１要素２０ａを基材の一方の面に印刷することにする。
【００４４】
次に、実際に基材上に印刷される第１パターンおよび第２パターンの濃度を算出する。
基材の一方の面に印刷される第１パターンの濃度は、基材の一方の面を手前にして偽造防止媒体を光に透かしたときの第１パターンの濃度と、錯視図形の高濃度領域の濃度とが同程度となるように、調整される。例えば図１０および図１１（ａ）において錯視図形の高濃度領域２１が黒色である場合、基材の一方の面を手前にして偽造防止媒体を光に透かしたときの第１パターンも黒色となるように、基材の一方の面に印刷される第１パターンは黒色とされる。
一方、基材の他方の面に印刷される第２パターンの濃度は、基材の一方の面を手前にして偽造防止媒体を光に透かしたときの第２パターンの濃度と、錯視図形の中濃度領域の濃度とが同程度となるように、調整される。このとき、第２パターンは、基材の一方の面を手前にして偽造防止媒体を光に透かしたときに濃度が低下するので、第２パターンの濃度は、基材の一方の面を手前にして偽造防止媒体を光に透かしたときの濃度の低下分を計算して、設定される。例えば図１０および図１１（ｂ）において錯視図形の中濃度領域２２が灰色である場合、基材の一方の面を手前にして偽造防止媒体を光に透かしたときの第２パターンも灰色となるように、基材の他方の面に印刷される第２パターンは黒色とされる。
【００４５】
次いで、図１１（ａ）に示す第１要素２０ａを、図１（ａ）に示すように基材２の一方の面に予め算出した濃度（例えば黒色）で第１パターン３として印刷する（第１パターン形成工程）。続いて、図１１（ｂ）に示す第２要素２０ｂを、図１（ｂ）に示すように基材２の他方の面に予め算出した濃度（例えば黒色）で第２パターン４として印刷する（第２パターン形成工程）。この際、第１パターン３および第２パターン４は互いに位置が合うように印刷される。
【００４６】
図２は、図１（ａ）、（ｂ）に示す偽造防止媒体１を基材２の一方の面を手前にして光に透かして観察した状態を示す模式図である。図１（ａ）、（ｂ）においては、上述したように、第２パターン４が基材の一方の面を手前にして偽造防止媒体を光に透かしたときの濃度の低下分を計算して印刷されているので、図２に示すように基材の一方の面を手前にして偽造防止媒体を光に透かしたときの第２パターン４（中濃度領域１２）の濃度は、図１０に示す錯視図形２０の中濃度領域２２の濃度と同程度になる。また、図２に示すように基材の一方の面を手前にして偽造防止媒体を光に透かしたときの第１パターン３（高濃度領域１１）の濃度は、図１０に示す錯視図形２０の高濃度領域２１の濃度と同程度になる。さらに、図２に示すように基材の一方の面を手前にして偽造防止媒体を光に透かしたときの基材の両面に第１パターンおよび第２パターンがいずれも印刷されていない部分（低濃度領域１３）の濃度は、図１０に示す錯視図形２０の低濃度領域２３の濃度と同程度になる。
したがって、基材の一方の面を手前にして偽造防止媒体を光に透かした状態では、元の錯視図形が再現され、偽造防止パターンが出現し、錯視が発現する。
【００４７】
本発明においては、第１パターンおよび第２パターンを形成するに際して、位置合わせの印刷技術については高い精度が必要とされるが、既存の材料や装置を利用して偽造防止媒体を作製することが可能である。
【００４８】
なお、偽造防止パターンについては、上記「Ａ．偽造防止媒体」の項に詳しく記載したので、ここでの説明は省略する。
以下、本発明の偽造防止媒体の製造方法における各工程について説明する。
【００４９】
１．第１パターン形成工程
本発明における第１パターン形成工程は、基材の一方の面に第１パターンを形成する工程である。
【００５０】
第１パターンの形成方法としては、第１パターンおよび第２パターンを位置合わせして形成できる方法であれば特に限定されるものではなく、例えば、オフセット印刷、グラビア印刷、活版印刷、凹版印刷、スクリーン印刷、粉体電子写真方式のデジタル印刷、液体電子写真方式のデジタル印刷、インクジェット方式のデジタル印刷等の印刷法や、転写法が挙げられる。
【００５１】
第１パターンを形成するに際しては、第１パターンの濃度を、基材の一方の面を手前にして偽造防止媒体を光に透かしたときの第１パターンの濃度と、目的とする錯視図形（偽造防止パターン）の高濃度領域の濃度とが同程度となるように、調整することが好ましい。濃度は、実際に測定して求めてもよく、シミュレーションにより求めてもよい。
【００５２】
なお、第１パターンについては、上記「Ａ．偽造防止媒体」の項に記載したので、ここでの説明は省略する。
【００５３】
２．第２パターン形成工程
本発明における第２パターン形成工程は、基材の他方の面に、第２パターンを、基材の一方の面を手前にして偽造防止媒体を光に透かしたときの濃度の低下分を計算して形成する工程である。
【００５４】
第２パターンの濃度は、基材の一方の面を手前にして偽造防止媒体を光に透かしたときの濃度の低下分を予め計算し、決定する。この濃度の低下分は、実際に測定して求めてもよく、検量線を用いて求めてもよく、シミュレーションにより求めてもよい。
検量線を用いる場合には、例えば次のように濃度の低下分を求めることができる。すなわち、まず、基材の他方の面に異なる濃度（少なくとも３種）にて複数のベタの測定用パターンを形成し、次に、基材の他方の面から反射による各測定用パターンの相対濃度（Ａ）を計測し、さらに基材の一方の面から透過による各測定用パターンの相対濃度（Ｂ）を計測し、次いで、上記の相対濃度（Ａ）と相対濃度（Ｂ）とにより検量線を作成する。この検量線を基に、基材の一方の面を手前にして偽造防止媒体を光に透かしたときの濃度の低下分を予測し、第２パターンの形成を施すことができる。同じ基材、同じインキを使用する場合には、作成した検量線を用いて、濃度の低下分を予測し、第２パターンの形成を施すことが可能である。
【００５５】
なお、第２パターンの形成方法については、上記第１パターンの形成方法と同様であるので、ここでの説明は省略する。
また、第２パターンについては、上記「Ａ．偽造防止媒体」の項に記載したので、ここでの説明は省略する。
【００５６】
３．その他の工程
本発明においては、上記の第１パターン形成工程および第２パターン形成工程の前に、目的とする錯視図形を濃度に応じて２つのパターンに分解する画像処理工程を行ってもよい。
画像処理工程は、例えばコンピューターシステム上の画像処理ソフトウェアを用いて行うことができる。
【００５７】
本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【実施例】
【００５８】
以下、実施例を挙げて本発明を具体的に説明する。
［実施例１］（紙媒体きらめき格子錯視）
（画像処理）
ＣＡＤシステム上にて、図１０に示すように、１辺の長さが２０ｍｍの黒色の正方形（高濃度領域２１）を縦横ともに５個、４ｍｍの間隙をおいて配置し、幅４ｍｍの間隙部分を灰色（中濃度領域２２）とし、間隙の交差する部分には直径４ｍｍの白色の円形（低濃度領域２３）を配置した、きらめき格子錯視画像（錯視図形２０）を作成した。
このきらめき格子錯視画像（錯視図形２０）を、図１１（ａ）、（ｂ）に示すように、正方形部分（高濃度領域２１からなる第１要素２０ａ）と、その他の部分（中濃度領域２２および低濃度領域２３からなる第２要素２０ｂ）との、２つの画像に分割した。
【００５９】
（印刷）
厚さ６４ｇ／ｍ2の上質紙の両面に、オフセット印刷機にてブラックインクを用いて、きらめき格子錯視画像を分割した２つの画像をそれぞれ印刷した。上質紙の一方の面には、正方形部分を相対濃度Ｄ＝１．５０にて印刷した（図１（ａ））。また、上質紙の他方の面には、幅４ｍｍの間隙の交差する部分に直径４ｍｍの円形の開口部を有する間隙部分を相対濃度Ｄ＝１．５０にて印刷した（図１（ｂ））。なお、ここでいう相対濃度は、直径４ｍｍの円形部分の濃度をＤ＝０とした場合の濃度をいう。この際、両面の画像の印刷位置は、上質紙を光に透かしたときに両面の画像が重なり、画像を２つに分割する前の画像が見える位置とした。
【００６０】
（透過検証）
作製した印刷物を、４０Ｗの蛍光灯から２．０ｍ離れた場所にて、一方の面から透かして見たところ、きらめき格子錯視が発現した。
光に透かして見た状態における印刷物の相対濃度は、正方形部分（高濃度領域１１）がＤ＝１．５０、間隙部分（中濃度領域１２）がＤ＝０．３０相当であった（図２）。なお、ここでいう相対濃度は、円形部分（低濃度領域１３）の濃度をＤ＝０とした場合の濃度をいう。
【００６１】
（反射検証）
作製した印刷物を、一方の面および他方の面から反射光のみで見たところ、一方の面では正方形部分が相対濃度Ｄ＝１．５０、間隙部分が相対濃度Ｄ＝０．０５にて見え、他方の面では正方形部分が相対濃度Ｄ＝０．０５、間隙部分が相対濃度Ｄ＝１．５０にて見え、きらめき格子錯視は発現しなかった。なお、ここでいう相対濃度は、円形部分の濃度をＤ＝０とした場合の濃度をいう。
印刷物は、光に透かして見ることによって、きらめき格子錯視を発現することを確認した。
【符号の説明】
【００６２】
１  …  偽造防止媒体
２  …  基材
３  …  第１パターン
４  …  第２パターン
５，６  …  保護層
１０  …  偽造防止パターン
１１  …  高濃度領域
１２  …  中濃度領域
１３  …  低濃度領域
【図１】
0005447242.tif 000002
【図２】
0005447242.tif 000003
【図３】
0005447242.tif 000004
【図４】
0005447242.tif 000005
【図５】
0005447242.tif 000006
【図６】
0005447242.tif 000007
【図７】
0005447242.tif 000008
【図８】
0005447242.tif 000009
【図９】
0005447242.tif 000010
【図１０】
0005447242.tif 000011
【図１１】
0005447242.tif 000012